(57)【要約】【課題】技術的に簡単に実現できる自動的な自己クリーニング機能を有する持ち運び可能なドリル洗浄水濾過装置を得る。【解決手段】フィルタホルダ２と、蓋３と、液体から固体物質を分離するため流入口４と流出口５との間の流れの分岐部分に挿入可能なフィルタインサート６とを有するドリル洗浄水濾過装置において、このドリル洗浄水濾過装置を運搬するため、蓋３に移動可能な持ち運びグリップ７を設け、このグリップ７に少なくとも１個の自己クリーニング手段を制御可能に設ける。例えば、持ち運びグリップ７をあぶみ状グリップとして構成し、重心から離れる方向に回動自在にする。この回動によって、制御手段８に設けた永久磁石９と、ホールセンサ１０との相対位置変化による電気的制御可能な逆洗弁１１によって、逆洗室１２からの液体でフィルタインサート６の逆洗を行う。【選択図】図１
2004160454.tif 000002
【特許請求の範囲】
【請求項１】
フィルタホルダ（２）と、蓋（３）と、液体から固体物質を分離するため流入口（４）と流出口（５）との間の流れの分岐部分に挿入可能なフィルタインサート（６）とを有するドリル洗浄水濾過装置において、このドリル洗浄水濾過装置を運搬するため、蓋（３）に移動可能な持ち運びグリップ（７）を設け、このグリップ（７）に少なくとも１個の自己クリーニング手段を制御可能に設けたことを特徴とするドリル洗浄水濾過装置。
【請求項２】
持ち運びグリップ（７）を重心から離れる方向に回動自在にした請求項１記載のドリル洗浄水濾過装置。
【請求項３】
前記持ち運びグリップ（７）を回動可能なあぶみ状グリップとして構成した請求項２記載のドリル洗浄水濾過装置。
【請求項４】
持ち運びグリップの回転軸（Ａ）に制御手段（８）を固着し、この制御手段（８）に少なくとも１個の自己クリーニング手段を制御可能に連結した請求項１乃至３のうちのいずれか一項に記載のドリル洗浄水濾過装置。
【請求項５】
制御手段（８）に永久磁石（９）を配置し、この永久磁石との相対位置が変化するホールセンサ（１０）により、電気的に制御可能な逆洗弁（１１）によって、逆洗室（１２）からの液体でフィルタインサート（６）の逆洗を行うようにした請求項４記載のドリル洗浄水濾過装置。
【請求項６】
前記制御手段（８）に駆動手段（１３）を設け、この駆動手段（１３）により洗浄手段（１５）を機械的に駆動するようにした請求項１乃至５のうちのいずれか一項に記載のドリル洗浄水濾過装置。
【請求項７】
前記駆動手段（１３）をばね負荷休止機構とし、洗浄手段（１５）の周方向の休止窪み（１４）に機械的に回転移動可能に掛合させた請求項６記載のドリル洗浄水濾過装置。
【請求項８】
洗浄手段（１５）を、フィルタインサート（６）の円筒形外殻として同軸状の回転可能なブラシ（１７）により構成し、このブラシ（１７）は内向きの剛毛（１７ａ）を有するものとして構成した請求項７記載のドリル洗浄水濾過装置。
【請求項９】
ドリル洗浄水濾過装置（１）を転移する際に、持ち運びグリップ（３）を段階的に移動可能にし、第１段階で機械的な自己クリーニングを行い、これに続く第２段階で逆洗を行うようにした持ち運び可能ドリル洗浄水濾過装置の自己クリーニング方法。
【発明の詳細な説明】
【技術分野】
【０００１】
本発明は、持ち運びができる自己クリーニング機能付きドリル洗浄水濾過装置に関するものである。
【背景技術】
【０００２】
負圧により固体物質が混ざったドリル洗浄水を吸引するドリル洗浄水ポンプ（例えば、特許文献１参照）があり、より高い圧力の下に、個別の出口で、濾過したドリル洗浄水と固体物質の濃度が高いドリル洗浄水とに分離するものがある。ドリル洗浄水に固体物質が多量に含まれていることにより、ドリル洗浄水濾過装置の絶え間ない堆積を軽減するため、ドリル洗浄水濾過装置の定期的な逆洗作業が必要となる。
【特許文献１】独国実用新案公開第２０１１０２４４号公報
【０００３】
逆洗浄可能な円筒形セラミックフィルタインサートの円筒形外殻に、内向きの剛毛を有する同軸状の回転可能ブラシを設け、この回転ブラシにより機械的に洗浄するため、回転ブラシをドリル洗浄水の貫流により直接、又は個別のモータにより駆動するドリル洗浄水濾過装置がある（例えば、特許文献２参照）。しかし、ドリル洗浄水の貫流によって回転駆動するのは、固体物質で極めて汚れたドリル洗浄水を使用するため効率が悪く、個別のモータを使用するのは技術的にコストがかかることになる。
【特許文献２】独国特許第１９７２３７９８号明細書
【発明の開示】
【発明が解決しようとする課題】
【０００４】
従って、本発明の目的は、技術的に簡単に実現できる自動的な自己クリーニング機能を有する持ち運び可能なドリル洗浄水濾過装置を得るにある。
【課題を解決するための手段】
【０００５】
この目的を達成するため、本発明ドリル洗浄水濾過装置は、フィルタホルダと、蓋と、液体から固体物質を分離するため流入口と流出口との間の流れの分岐部分に挿入可能なフィルタインサートとを有するドリル洗浄水濾過装置において、このドリル洗浄水濾過装置を運搬するため、蓋に移動可能な持ち運びグリップを設け、このグリップに少なくとも１個の自己クリーニング手段を制御可能に設けたことを特徴とする。
【発明の効果】
【０００６】
自己クリーニング手段を移動可能な持ち運びグリップに制御を生ずるよう連結することにより、ドリル洗浄水濾過装置の運搬の際に自己クリーニングが機能し、この自己クリーニング機能は、未完成の建築現場であちこち離れた位置に設置する度毎に強制的かつ自動的に行われる。
【発明を実施するための最良の形態】
【０００７】
本発明の好適な実施例によれば、持ち運びグリップを重心から離れる方向に回動自在にする。この構成によれば、ドリル洗浄水濾過装置の設置位置を移し替える際に、重力が自己クリーニング機能を引き起こす。
【０００８】
好適には、持ち運びグリップを回動可能なあぶみ状グリップとして構成する。この構成によれば、持ち運びグリップの軸線の周りに回動することができる。
【０００９】
好適には、持ち運びグリップの回転軸に制御手段を固着し、この制御手段に少なくとも１個の自己クリーニング手段を制御可能に連結する。この構成によれば、制御情報は蓋の領域に存在する。
【００１０】
好適には、制御手段に永久磁石を配置し、この永久磁石との相対位置が変化するホールセンサにより、電気的に制御可能な逆洗弁によって、逆洗室からの液体でフィルタインサートの逆洗を行うようにする。この構成によれば、逆洗の制御情報が非接触に入手することができる。
【００１１】
好適には、前記制御手段に駆動手段を設け、この駆動手段により洗浄手段を機械的に駆動するようにする。この構成によれば、機械的自己クリーニングを直接機械的に行うことができる。
【００１２】
好適には、前記駆動手段をばね負荷休止機構とし、洗浄手段の周方向の休止窪みに機械的に回転移動可能に掛合させる。この構成によれば、固体物質をフィルタインサートから効率的に除去することができる。
【００１３】
好適には、洗浄手段を、フィルタインサートの円筒形外殻として同軸状の回転可能なブラシにより構成し、このブラシは内向きの剛毛を有するものとして構成する。この構成によれば、自己クリーニングを効率的に行うことができる。
【００１４】
好適には、ドリル洗浄水濾過装置を転移する際に、持ち運びグリップを段階的に移動可能にし、第１段階で機械的な自己クリーニングを行い、これに続く第２段階で逆洗を行うようにする。
【００１５】
次に、図面につき本発明の好適な実施例を説明する。
【実施例】
【００１６】
図１に示すように、ドリル洗浄水濾過装置１は、蓋３を有するフィルタホルダ２に、液体から固体物質を分離するためのフィルタインサートであって、流入口４と流出口５との間の流れの分岐部に挿入可能にしたフィルタインサート６を設け、この蓋３には、ドリル洗浄水濾過装置１を運搬するために、例えば、回動可能なあぶみ状グリップのような移動可能な持ち運びグリップ７を設け、この持ち運びグリップ７をドリル洗浄水濾過装置１の重心Ｓから離れる方向に回動可能にする。持ち運びグリップの回動軸Ａに制御手段８を固着し、この制御手段８に永久磁石９を配置し、この永久磁石９をホールセンサ１０に接近可能にし、電気的に制御可能な逆洗弁１１により、加圧された逆洗室１２からの液体でフィルタインサート６を逆洗するようにする。
【００１７】
図２に示すように、蓋３の内部において、制御手段８にばね負荷休止機構の形式の駆動手段１３を設け、フィルタインサートの軸線の周りに段進的に回転する洗浄手段１５の周方向に形成した休止窪み１４に駆動手段１３が機械的に回転移動可能に掛合し、この洗浄手段１５は、フィルタインサート６の円筒形外殻を１２０゜の角度間隔でずれた３個のブラシ支持体１６を有する同軸状に回転自在のブラシ１７により構成し、ブラシ支持体１６に内向きの剛毛１７ａを設ける。
【図面の簡単な説明】
【００１８】
【図１】持ち運び可能なドリル洗浄水濾過装置の実施例の側面図である。
【図２】持ち運び可能なドリル洗浄水濾過装置の実施例の一部切除した側面図である。
【符号の説明】
【００１９】
１  ドリル洗浄水濾過装置
２  フィルタホルダ
３  蓋
４  流入口
５  流出口
６  フィルタインサート
７  持ち運びグリップ
８  制御手段
９  永久磁石
１０  ホールセンサ
１１  逆洗弁
１２  逆洗室
１３  駆動手段
１４  休止窪み
１５  洗浄手段
１６  ブラシ支持体
１７  ブラシ
１７ａ  剛毛
【図１】
2004160454.tif 000003
【図２】
2004160454.tif 000004